(57)【要約】【課題】着脱可能なアイカップを有する撮影装置で、アイカップが不用意に撮影装置の接眼部から外れないようにすること。またその対策をなるべくアイカップのデザインの制約にならないように、またアイカップを大型化させないように、安価で行うことが課題である。【解決手段】アイカップ６の内面と接眼部５ａの外観面に複数の係合部５ｃ，６ｄを設け、係合部５ｃ，６ｄ解除方向Ａに対して略垂直方向のアイカップ取外し押圧方向Ｂ側のアイカップ６の内面と接眼部５ａの外観面との間にアイカップたわみ空間１７を設けた。【選択図】図５
2016017968.tif 000002
【特許請求の範囲】
【請求項１】
撮影装置１の背面筺体５の外観面に接眼部５ａが有り、前記接眼部５ａは凸形状で、端部に撮影者が覗くための開口部５ｂが有る。さらに前記接眼部５ａに対して着脱可能なアイカップ６がある。前記アイカップ６は、前記接眼部５ａの側面を覆い、撮影者が覗くための開口部６ｃがあり、前記接眼部５ａに対して接眼レンズの光軸ｚ方向に着脱する。さらに前記アイカップ６と前記接眼部５ａには、接眼レンズ１０の光軸ｚに対して垂直方向に凸凹がある係合部５ｃ，６ｄが複数組ある。さらに前記係合部５ｃ，６ｄ解除方向に対して垂直方向に、前記アイカップ６の内面と前記接眼部５ａの間にアイカップたわみ空間１７が有る、ことを特徴とするアイカップ６、及びこれを有する撮影装置１。
【請求項２】
前記アイカップ６には、前記アイカップ６を前記接眼部５ａに対して支持する支持部６ｇがあり、該支持部６ｇとアイカップ６内面と接眼部５ａ外観面で前記アイカップたわみ空間１７を形成している、ことを特徴とする請求項１に記載のアイカップ６、及びこれを有する撮影装置１。
【請求項３】
アイカップ６の複数の先端部６ｅ，６ｆから係合部６ｄまでの接眼部５ａへの差し込み面長さＬ１，Ｌ２が異なる、ことを特徴とする請求項１又は請求項２に記載のアイカップ６、及びこれを有する撮影装置１。
【発明の詳細な説明】
【技術分野】
【０００１】
本発明は、ファインダーを具備する撮影装置のファインダー接眼部外装に着脱させるアイカップに関する。
【背景技術】
【０００２】
撮影装置には、撮影しようとする被写体画像を、撮影者に見せるためにファインダーを具備するものがある。ファインダーとは、撮影者が撮影する被写体を確認するために、例えばレンズを用いて得た被写体画像や、該被写体画像をセンサーなどで光電変換してＬＣＤなどで表示させた被写体画像を、撮影者に直接目視で確認させる手段である。
【０００３】
ファインダーの撮影者が覗く部分である接眼部に対して、アイカップを装着する撮影装置がある。一般的なアイカップの役割として、接眼部周辺の光がファインダーを覗く撮影者の目へ入ることを抑えて、撮影者にファインダーを見易くする役割がある。またアイカップを弾性部材にすることで、撮影者がファインダーの接眼部を覗いた時に、撮影者のメガネや皮膚が接眼部に接触する当たりを和らげる役割もある。また単にデザイン的な役割で、ファインダー接眼部とアイカップを別部品とし、材質を異ならせている場合もある。
【０００４】
アイカップを接眼部から容易に着脱が可能であり、アイカップが撮影装置の接眼部から不用意に外れることがないファインダー用アイカップの提案が幾つかある。
【０００５】
特許文献１では、撮影者が、撮影装置本体に形成されたファインダー枠からアイカップを取り外すために操作部を操作した場合には、アイカップの爪部がファインダー枠の段差部から待避する方向に回動するように、弾性部が弾性変形する。これにより、撮影者はアイカップを容易に取り外すことができるようになっている。
【０００６】
操作部が操作されていないときに、アイカップがファインダー枠から取り外される方向に不用意な力が加わった場合には、アイカップ爪の爪部がファインダー枠の段差部を締め付ける方向に、弾性部が弾性変形する。これにより、アイカップが撮影装置本体から不用意に外れることを防止できるようになっている。
【０００７】
特許文献２では、光学機器側の接眼カバーに着脱可能なアイカップを、アイカップ本体にカバーガラスと弾性変形可能なシール性を有する防水シート部材を挿入して、接眼カバーの後端部に装着している。接眼カバーには、外周に突出する係合爪を設け、アイカップ本体には、内周部に凹状係合部を設けている。接眼カバーの係合爪にアイカップ本体の係合部を回転させながら係合させると、アイカップ装着状態となる。この装着状態でアイカップは、係合爪と凹状係合部によりクリック力を有した状態で装着される。アイカップを取り外す場合に上記クリック力に抗して回転操作すれば取り外すことができる。
【先行技術文献】
【特許文献】
【０００８】
【特許文献１】特開２００８−１９１３１４号公報
【特許文献２】特開２００５−１７４０１号公報
【発明の概要】
【発明が解決しようとする課題】
【０００９】
特許文献１では、アイカップは、アイカップ本体とは別に、操作部と弾性部の追加部品が別途必要であり、さらに前記操作部や前記弾性部をアイカップ本体に組み込む作業も必要であった。アイカップとして完成させるために、操作部と弾性部の部品費と組み立て費でコストアップになっていた。さらに前記操作部や前記弾性部を組み込むための空間をアイカップ本体内部に設けなければならず、アイカップの大型化を招いていた。
【００１０】
また、提案のアイカップ着脱方法は、撮影者がファインダーを覗く方向に対してアイカップを垂直方向に移動させて着脱させる構成であった。このため、アイカップの移動の妨げにならないように、またアイカップの爪部による接眼枠への係止が行えるように、少なくとも二つのアイカップ爪部の間は空間をあけねばならず、この空間にはアイカップ本体は存在できなかった。すなわちアイカップ本体で、接眼枠側面の全面を覆うことが出来ず、必ず接眼枠側面の一部がアイカップ本体で覆われていない部分が出来るため、デザインの制約になっていた。
【００１１】
特許文献２では、アイカップ取り外しのためにアイカップを回転操作させて接眼カバーから着脱させている。アイカップと接眼カバーとの係合は、アイカップ内周部の凹状係合部と接眼カバーの係合爪とのバヨネット方式で行っている。接眼カバーとアイカップの嵌め合い部は回転可能になるように、接眼カバー外観側が略円筒形の凸形状で、アイカップ内面側が略円筒形の凹形状でなくてはならず、外観デザインの制約になっていた。また、アイカップ内周部に凹状係合部を設けないといけないことから、アイカップの肉厚を厚くしなければならず、アイカップが大型化する問題があった。
【課題を解決するための手段】
【００１２】
本発明の構成は、撮影装置１の背面筺体５の外観面に接眼部５ａが有り、前記接眼部５ａは凸形状で、端部に撮影者が覗くための開口部５ｂが有る。さらに前記接眼部５ａに対して着脱可能なアイカップ６がある。前記アイカップ６は、前記接眼部５ａの側面を覆い、撮影者が覗くための開口部６ｃがあり、前記接眼部５ａに対して略接眼レンズの光軸ｚ方向に着脱する。さらに前記アイカップ６と前記接眼部５ａには、接眼レンズ１０の光軸ｚに対して略垂直方向に凸凹がある係合部５ｃ，６ｄが複数組ある。さらに前記係合部５ｃ，６ｄ解除方向に対して略垂直方向に、前記アイカップ６内面と前記接眼部５ａの間にアイカップたわみ空間１７が有る。
【発明の効果】
【００１３】
本発明を用いたアイカップ６では、アイカップ６を接眼５ａ部から取り外す際に、最初にアイカップ６をアイカップたわみ空間１７のある両脇から押し込むことで前記係合部５ｃ，６ｄの係合を解除し、さらにアイカップ６を略接眼レンズの光軸ｚに沿って引いて接眼部５ａから取り外す。アイカップ６の両脇を押す、さらにアイカップ６を接眼レンズの光軸ｚ方向に引く、という二つの動作を行ってアイカップ６を外すために、アイカップ６は接眼部５ａから不用意には外れにくくなる。
【００１４】
またアイカップ６は接眼レンズの光軸ｚに沿って引いて取り外すので、特許文献２のように、接眼部５ａの外形を円筒状の凸形状に、アイカップ６の内面を円筒状の凹形状に必ずしもする必要が無い。またアイカップで接眼凸部の側面を全て覆うことも出来る。故にデザインの自由度が広がる。
【００１５】
さらにアイカップ６自身を一体成形出来るため、アイカップとして組み立てる必要がない。さらに特許文献１のような操作部や弾性部をアイカップ本体内部に組み込むための空間をアイカップ６内部に設ける必要が無いためアイカップ６を小型化出来る。
【図面の簡単な説明】
【００１６】
【図１】（ａ）は本実施例の撮影装置の前面側斜視図、（ｂ）は撮影装置の表示手段収納時の背面側斜視図、（ｃ）は撮影装置の表示手段移動時の背面側斜視図。
【図２】（ａ）は撮影装置背面図におけるファインダーの断面位置を表した図、（ｂ）はファインダーの縦断面図、（ｃ）はファインダーの横断面図。
【図３】（ａ）は撮影装置側面図における断面位置を表した図、（ｂ）は撮影装置の接眼部近傍の光軸ｚに垂直な断面図。
【図４】（ａ）はアイカップの外観側斜視図、（ｂ）はアイカップの内面上側斜視図、（ｃ）はアイカップの内面下側斜視図。
【図５】（ａ）は図３の（ｂ）を模式的に表したアイカップと接眼部の断面図、（ｂ）は図２の（ｂ）を模式的に表したアイカップと接眼部の断面図、（ｃ）は図５の（ａ）のアイカップに、アイカップ取り外しのための外力を加えた場合のアイカップの変形を模式的に表したアイカップと接眼部の断面図、（ｄ）は図５の（ｂ）のアイカップに、アイカップ取り外しのための外力を加えた場合のアイカップの変形を模式的に表したアイカップと接眼部の断面図。
【図６】（ａ）はアイカップを接眼部から取り外す際の第一の操作を表した模式図、（ｂ）はアイカップを接眼部から取り外す際の第二の操作を表した模式図。
【図７】（ａ）はアイカップを接眼部に装着する前状態を示した上部斜視図、（ｂ）はアイカップを接眼部に装着する前状態を示した下部斜視図、（ｃ）はアイカップを接眼部に装着した状態を示した斜視図。
【図８】（ａ）は、アイカップ６が接眼部５ａに装着された状態を示した背面図、（ｂ）は、アイカップ６が接眼部５ａから取り外された状態を示した背面図。
【図９】本実施例の撮影装置の分解図。
【発明を実施するための形態】
【００１７】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１８】
本実施例の撮影装置の主な外観部に関して図１を用いて説明する。図１は本実施例の撮影装置の斜視図である。図１の（ａ）は本実施例の撮影装置の前面側斜視図である。図１の（ｂ）は本実施例の撮影装置の表示手段収納時の背面側斜視図である。図１の（ｃ）は本実施例の撮影装置の表示手段移動時の背面側斜視図である。
【００１９】
図１の（ａ）で、１は本実施例で用いる撮影装置である。２は撮影レンズで、不図示の複数のレンズで構成され、不図示の撮影レンズ駆動手段を用いて変倍駆動や合焦駆動を行い、不図示のセンサー上に該撮影レンズ２を用いて外光を集光させている。撮影装置１は、前記センサー上に集光させた光情報を光電変換させて画像情報を得ている。３はレリーズスイッチであり、レリーズスイッチ３の押し深さによって２つのスイッチ位置が検出できるようになっている。レリーズスイッチ３を浅く押した第一検出位置の場合は、撮影レンズ２の合焦駆動を開始し、深く押した第二検出位置の場合は不図示のシャッター駆動手段を用いて、所定時間だけセンサーに外光を露光させることで撮影動作を実行する。露光されて得た画像情報は、不図示の画像処理手段により適宜画像処理がなされて、撮影装置１に装着された不図示の撮影記録媒体に記録される。４は主電源スイッチであり、該主電源スイッチ４の操作で撮影装置１の起動や停止を行う。
【００２０】
図１の（ｂ）（ｃ）で、５は撮影装置１の背面を覆う背面筐体である。５ａは、後述するファインダーを覆い、背面筐体５から凸状に突出した接眼部である。６は接眼部５ａの外観部に装着された、樹脂と弾性部材で一体成型されたアイカップ。７はＬＣＤなどを内蔵した表示手段であり、ヒンジ部８で撮影装置１に対して、軸Ｘと軸Ｙの２軸に回転可能に連結されている。図１（ｂ）は表示手段７が撮影装置１に収納された状態を示しており、図１（ｃ）は表示手段７が軸Ｘと軸Ｙでそれぞれ回転し、撮影装置１から移動した状態の一例を示している。１８はアクセサリーシューで、不図示の外部ストロボなどを撮影装置１に装着させるための装着部であり、不図示の外部ストロボが撮影装置１に装着されたことを確認する検出スイッチや、不図示の外部ストロボと撮影装置１を通信させるための通信端子などを有している。図２、図３、図４において撮影装置１のファインダーを説明する。
【００２１】
図２は本実施例の撮影装置のファインダーの断面図である。図２の（ａ）は撮影装置背面図におけるファインダーの断面位置を表した図である。図２の（ｂ）はファインダーの縦断面図である。図２の（ｃ）はファインダーの横断面図である。図２の（ｂ）は図２の（ａ）の断面Ａ−Ａにおける、撮影装置１のファインダーの縦断面を表している。
【００２２】
１５は撮影レンズ１と不図示のセンサーから得た画像情報を表示させるためのＬＣＤなどを用いたファインダー表示手段である。１６はＬＥＤなどの照明手段であり、ファインダー表示手段１５を、反射透過膜１４を用いて前記照明手段１６の照射光をファインダー表示手段１５側に反射させて照明する。１０はファインダーの接眼レンズであり、照明されたファインダー表示手段１５の表示を、反射透過膜１４を透過させて表示させる。１２は接眼レンズ保持手段で、前記接眼レンズ１０を保持している。１１はファインダーの接眼フィルターで、透明樹脂平板に反射防止表面処理が施されており、最も撮影者の目に近い接眼部５ａの開口部５ｂの近傍に配置されている。１３はファインダー筺体で、内部に接眼レンズ１０、接眼レンズ保持手段１２、ファインダー表示手段１５、照明手段１６、反射透過膜１４などを具備している。ｚは接眼レンズ１０の光軸を表している。撮影者は視線を光軸ｚに略合致する方向に合わせて、開口部５ｂからファインダー表示手段１５に表示される被写体画像を、接眼レンズ１０と接眼フィルター１１を通して目視で確認する。
【００２３】
アイカップ６は、材質が弾性部材で出来た弾性部６ａと、材質が樹脂で出来た樹脂部６ｂとを、一体の射出成形にて部品化されている。弾性部６ａはアイカップ６の主に外観側に、樹脂部６ｂはアイカップ６の主に内面側に用いられている。材料硬度は弾性部材の方が、樹脂材よりも軟質である。本件で用いるアイカップ６は、それ自体でアイカップ６として完成しており、接眼部５ａに対してアイカップ６を装着する以外に、その他の部品をアイカップ６に組み込む必要が無い。６ｃはアイカップ開口部で、撮影者がファインダーの光軸ｚに合わせてファインダー表示手段１５を覗くことが出来るように、接眼部５ａの開口部５ｂの形状に略合致させて、開口部５ｂより大きく開口が設けられている。アイカップ６と接眼部５ａには、接眼レンズ１０の光軸ｚに対して略垂直方向に凸凹がある係合部５ｃ，６ｄが光軸ｚを挟んで対向する位置に１組ずつ合計２組が設けられている。アイカップ６の内面には凸形状の係合部６ｄ、接眼部５ａの外観側面には穴による凹形状の係合部５ｃがある。図２の（ｂ）において、アイカップ６のアクセサリーシュー１８側の先端面６ｅから係合部６ｄまでの差し込み面長さＬ１は、アイカップ６の他方の先端面６ｆから係合部６ｄまでの差し込み面長さＬ２よりも短い。先端面６ｅのある差し込み面の厚さと、先端面６ｆのある差し込み面の厚さはほぼ等しく、差し込み面長さＬ１とＬ２が異なっている。
【００２４】
図２の（ｃ）は、図２の（ａ）の断面Ｂ−Ｂにおける、撮影装置１のファインダーの横断面を表している。９ａは撮影装置１の背面筺体５を撮影装置１側に接合させるためのビスであり、背面筺体５の接眼部５ａ立ち上がり根元部の左右に配置されている。１ａは前記ビス９ａを止めるための撮影装置側ビス止め部である。１７は、アイカップ６内面と接眼部５ａ外観の間に設けたアイカップたわみ空間であり、光軸ｚを中心に左右に設けられている。アイカップたわみ空間１７は、後述するアイカップ６の取り外し操作の時に、アイカップ６が外部から押されて変形できるように設けられたアイカップ６のたわむための空間である。
【００２５】
本実施例のファインダーは、前記撮影レンズ１と不図示のセンサーを用いて得た画像情報を、ファインダー用のＬＣＤ等のファインダー表示手段１５に表示させて、ファインダー用の接眼レンズ１０を用いて撮影者に見せる方式である。ファインダーには上記の他にも幾つかの方式がある。一眼レフ撮影装置で広く用いられているような、撮影光学レンズの光路をファインダー用の光路に反射ミラーで反射させて、被写体画像を電気情報に変換することなく直接撮影者に見せるファインダーがある。また撮影レンズは用いずに、ファインダー専用のレンズだけを用いて、被写体画像を電気情報に変換することなく直接撮影者に見せるファインダーもある。本件では、被写体画像を撮影者が目視で確認するためのファインダーに関するものであり、ファインダーの方式は問わない。
【００２６】
図３は本実施例の撮影装置の接眼部近傍の光軸ｚに垂直な断面図である。図３の（ａ）は撮影装置側面図における断面位置を表した図である。図３の（ｂ）は撮影装置の接眼部近傍の光軸ｚに垂直な断面図である。図３の（ｂ）は図３の（ａ）の断面Ｃ−Ｃにおける、撮影装置１の接眼部５ａ近傍の光軸ｚに垂直な断面を表している。６ｇは前記接眼部５ａを支持するための支持部であり、前記アイカップ６内面と前記接眼部５ａの外観部と前記支持部６ｇとで前記アイカップたわみ空間１７を形成している。支持部６ｇは、アイカップ６が支持部６ｇのある外観近傍を不用意に押された場合に、アイカップ６の剛性感を保つために設けられている。アイカップ６の支持部６ｇの無いアイカップたわみ空間１７外観近傍を押した場合は、アイカップ６は変形し易く、アイカップ６はアイカップたわみ空間１７方向にたわむ。また係合部６ｄのあるアイカップ６の外観側を押しても、アイカップ６内面と接眼凸部５ａ外観部の間に隙間が無いためアイカップ６は変形できず剛性感がある。図４において、アイカップ６の形状の説明を行う。
【００２７】
図４は本実施例のアイカップの斜視図である。図４の（ａ）は本実施例のアイカップの外観側斜視図である。図４の（ｂ）は本実施例のアイカップの内面上側斜視図である。図４の（ｃ）は本実施例のアイカップの内面下側斜視図である。
【００２８】
図４において、係合部６ｄは、アイカップ取り外し時の係合部５ｃ乗り越え負荷にも耐えられるように、主にアイカップ内部を形成している樹脂部６ｂと一体で成形されている。支持部６ｇは、アイカップ６と接眼部５ａとのがたを減らすために、図３の（ｂ）にも示したように、アイカップ６が接眼部５ａ組み込み状態で隙間が無いように設定されている。支持部６ｇはアイカップ６の弾性部６ａをアイカップ内面に露出させて形成されている。支持部６ｇと接眼凸部５ａとの間で傷が付きにくくなるように、また支持部６ｇをやや弾性変形させて組み込ませることで隙間が無くなるようにするためである。
【００２９】
アイカップ６は、背面筺体５表面から光軸ｚ方向に飛び出している接眼部５ａの側面を覆うために、背面筺体５から光軸ｚ方向に飛び出している接眼部５ａの側面形状に略合致した意匠の差し込み面形状をしている。本件では弾性部材と樹脂の２種材料での一体成形であるが、弾性部材のみ、あるいは樹脂部材のみでの１種材料による成形でも構わない。
【００３０】
次に、図５、図６、図７を用いて、接眼部５ａからアイカップ６を取り外す際の操作、逆にアイカップ６を接眼部５ａに取り付ける操作の説明を行う。
【００３１】
図５は本実施例の接眼部からアイカップを取り外す際のアイカップと接眼部の模式断面図である。図５の（ａ）は図３の（ｂ）を模式的に表したアイカップと接眼部の断面図である。図５の（ｂ）は図２の（ｂ）を模式的に表したアイカップと接眼部の断面図である。図５の（ｃ）は図５の（ａ）のアイカップに、アイカップ取り外しのための外力を加えた場合のアイカップの変形を模式的に表したアイカップと接眼部の断面図である。図５の（ｄ）は図５の（ｂ）のアイカップに、アイカップ取り外しのための外力を加えた場合のアイカップの変形を模式的に表したアイカップと接眼部の断面図である。図５の（ａ）の部位説明番号は図３の（ｂ）の部位説明番号と一致している。同じく図５の（ｂ）の部位説明番号は図２の（ｂ）の部位説明番号と一致している。
【００３２】
図５の（ｃ）において、アイカップ６を接眼部５ａから取り外すためには、アイカップ係合部６ｄを接眼部側係合部５ｃから、光軸ｚに対して略垂直方向の係合解除方向Ａに退避させなくてはいけない。撮影装置使用者は、アイカップ６の二つのアイカップたわみ空間１７の両側面部を、係合解除方向Ａとは略垂直方向であるアイカップ取り外し押圧方向Ｂに押す。アイカップ６は弾性部６ａと樹脂部６ｂとの一体成型なため、接眼部５ａ  の背面筐体５からの立ち上がり側面を覆っている主にアイカップ６外観部の変形につられて、二つの係合部６ｄが係合解除方向Ａに変形する。アイカップ６の係合部６ｄは、接眼部５ａの壁面に設けた穴である係合部５ｃに係合状態では埋没している。アイカップ６が接眼部５ａに十分に装着されていれば、撮影装置使用者は外からアイカップ６に覆われている係合部５ｃが見えない。係合部６ｄ，５ｃは、接眼部５ａの壁面厚さの中で構成されており、アイカップ６の小型化に繋がっている。
【００３３】
図５の（ｄ）において、図２の（ｂ）で説明したように、アイカップ６の係合部６ｄの有るアイカップ面の厚さはそれぞれほぼ同じで、差し込み面長さＬ１とＬ２が異なっている。故にアイカップ６が、撮影装置使用者によってアイカップ取り外し押圧方向Ｂから押されると、アイアップ６の強度の弱い差し込み部Ｌ１側が大きく係合解除方向Ａ側に変形し、逆に強度の強い差し込み部Ｌ２側は小さく係合解除方向Ａ側に変形する。確実に一方の組の係合部５ｃ，６ｄ、本実施例であれば端面６ｅの有る側の係合部５ｃ，６ｄを、係合解除させることで、必ず最初に外れる係合部が決まっていることによる取り外し易さを実現させている。
【００３４】
撮影装置使用者は、図５の（ｃ）（ｄ）の係合部５ｃ，６ｄが解除された状態のまま、アイカップ６を略光軸ｚ方向に引き抜くことでアイカップ６を接眼部５ａから取り外す。
【００３５】
またアイカップ６が、図５の（ｃ）（ｄ）のように変形できる要因として、アイカップ６に開口部６ｃが有ることも重要である。すなわち、アイカップ取り外し押圧方向Ｂに押す力は変えないで、アイカップ６の係合部解除方向Ａへの変形量を増やしたいならば、開口部６ｃの開口面積を増やしたり、開口部６ｃのあるアイカップ６の面の厚さを薄くしたり、開口部６ｃのあるアイカップ６の面の樹脂部６ｂの体積割合を減らしたりすることで設計による調整が出来る。
【００３６】
また、もし仮にアイカップ６に支持部６ｇが無いと想定した場合、アイカップ６の側面剛性が弱まり、支持部６ｇがある場合に比べ、アイカップ取外し押圧方向Ｂへの力は小さくても係合部５ｃ，６ｄの解除が出来る。アイカップ６の支持部６ｇが無くなると、アイカップたわみ空間１７側面のアイカップ６側面の広い範囲で剛性が弱くなり、アイカップたわみ空間１７側面の広い範囲の何処を押しても係合部５ｃ，６ｄが解除できるようになる。しかしながら、支持部６ｇがある場合は、係合部５ｃ，６ｄを解除するためには二つの支持部６ｇの中間付近のアイカップたわみ空間１７側面という限定されたアイカップ６の部分を押していた。不用意なアイカップ６の接眼部５ａからの外れを避けるためには、アイカップ６に支持部６ｇを設ける方が、係合部５ｃ，６ｄ解除できるアイカップ６の押圧領域が限定されるので望ましい。
【００３７】
またアイカップ６の接眼部５ａからの取り外しには、アイカップ６に対してアイカップ取り外し押圧方向Ｂからの両面からの押圧が必要になる。片側面だけからの押圧であると、係合部６ｄが十分に係合部５ｃに対して退避しきれずに、係合部が解除されないためである。しかしながら、これはアイカップ６への一方向からの落下や静圧などによる押圧によっても、アイカップが接眼部５ａから外れにくい理由にもなっている。
【００３８】
図６は本実施例の接眼部からアイカップを取り外す操作を表した模式図である。図６の（ａ）はアイカップを接眼部から取り外す際の第一の操作を表した模式図である。図６の（ｂ）はアイカップを接眼部から取り外す際の第二の操作を表した模式図である。
【００３９】
図６の（ａ）において、図５の（ｃ）で説明したように、アイカップ６を接眼部５ａから取り外す時は、アイカップ退避空間１７のある両側側面を、アイカップ取り外し押圧方向Ｂに押す。これが第一の操作である。
【００４０】
図６の（ｂ）において、上記アイカップ取り外し押圧方向Ｂの押圧で係合部５ｃ、６ｄの係合が解除されれば、そのまま第一の操作を維持したまま、アイカップ６を略光軸ｚに沿った方向に引く。これが第二の操作である。するとアイカップ６は接眼部５ａから外れる。
【００４１】
図６の（ｂ）において、第一の操作で係合部５ｃ，６ｄが解除された後、第一の操作を止めてしまうと、係合部５ｃ，６ｄは係合された元の状態に戻ってしまうので、この後第二の操作を行っても、第二の操作だけではアイカップ６は接眼部５ａから外れない。第一の操作を行った後、第一の操作を維持しつつ第二の操作を行うことでアイカップ６は接眼部５ａから外れる。
【００４２】
図７を用いて、アイカップ６の接眼部５ａへの組み込み方を説明する。図７は本実施例のアイカップを接眼部へ装着する操作を表した斜視図である。図７の（ａ）はアイカップを接眼部に装着する前状態を示した上部斜視図である。図７の（ｂ）はアイカップを接眼部に装着する前状態を示した下部斜視図である。図７の（ｃ）はアイカップを接眼部に装着した状態を示した斜視図である。
【００４３】
図７の（ａ）（ｂ）で、アイカップ６を撮影装置１に装着する時は、初めにアイカップ６の雌型になっているアイカップ内面形状を、接眼部の雄型になっている外観形状に位置を合わせて、アイカップ６を接眼部５ａに、略光軸ｚに沿った図中矢印ｃ方向に嵌めこむ。次にアイカップ６の係合部６ｄ近傍壁面が外側に弾性変形することにより、係合部６ｄが係合部５ｃに係合されることで装着完了となる。アイカップ６内面形状と接眼部５ａの外観形状は、アイカップ６を接眼部５ａに、光軸ｚに沿った図中矢印ｃ方向に嵌め合わせ可能な形状であればよい。バヨネット構造のようにアイカップ６をさらに接眼部５ａに対して回転させながら嵌め合わせる必要がないため、アイカップ６や接眼部５ａへのデザインの制約が少ない。
【００４４】
次に背面筐体５用の撮影装置１への取付けビス９ａの位置関係を図８、図９を用いて説明する。図８は本実施例のアイカップと背面筺体用ビスの位置関係を示した図である。図８の（ａ）は、アイカップ６が接眼部５ａに装着された状態を示した背面図である。ハッチング部が、背面から前記光軸ｚ方向から見たアイカップ６外観部である。図８の（ｂ）は、アイカップ６が接眼部５ａから取り外された状態を示した背面図である。６０で示したハッチング部は、アイカップ６によって元々覆われていた領域を示しており、背面筺体５を撮影装置１に取り付けるビス９ａを左右両方共、アイカップ６が十分に覆っていたことを表している。
【００４５】
図９は本実施例の撮影装置の分解図である。背面筺体５は、撮影装置１に対して光軸ｚ方向に取り外す。背面筺体５は、撮影装置１に組み込まれると、接眼部５ａ左右のビス９ａを２本、図９紙面下方向からビス９ｂを２本、図９紙面右方向からビス９ｃを３本、合計７本のビスを用いて背面筺体５を撮影装置１に止める。ファインダーは撮影者が被写体画像を覗いて目視で確認する性質上、撮影者の鼻が邪魔にならないように撮影装置１から接眼部５ａが背面側に凸状に飛び出ているものが多い。撮影装置１を撮影者が誤って落下させた場合に、撮影装置１から出っ張っている前記接眼部５ａは、直接地面と接触し、衝撃を受けやすい部分である。故に、背面筺体５の接眼部５ａ近傍のビス９ａは、背面筺体５が撮影装置１から外れないようにするための落下対策で有効である。
【００４６】
ビス９ａは接眼部５ａの開口部５ｂ近傍にあるので、どうしても撮影者の目につき易いし、金属ビスの場合、外光によるビスの反射光が撮影者の目に入りファインダーが見難くなる場合もある。本実施例では、図８（ｂ）で示したように、アイカップたわみ空間１７のある光軸ｚ投影面内にアイカップ６が接眼部５ａに装着されていれば、ビス９ａは撮影者にアイカップ６で隠れて見えない位置に配置されている。デザイン的にも、ビスの外光反射を防ぐためにも、ビス９ａが撮影者に見えないため良い。
【００４７】
本実施例では、撮影装置１に取り付けるアイカップ６の実施例を説明した。撮影装置１とファインダー装置が独立しており、撮影装置１に後付けするファインダー装置で、該ファインダー装置の接眼部５ａに着脱させるアイカップ６であっても構わない。
【符号の説明】
【００４８】
１  撮影装置、１ａ  撮影装置側ビス止め部、２  撮影レンズ、３  レリーズスイッチ、
４  主電源スイッチ、５  背面筺体、５ａ  接眼部、５ｂ  開口部、５ｃ  係合部、
６  アイカップ、６ａ  弾性部、６ｂ  樹脂部、６ｃ  開口部、６ｄ  係合部、
６ｅ  先端面、６ｆ  先端面、６ｇ  支持部、７  表示手段、８  ヒンジ部、
９ａ，９ｂ，９ｃ  ビス、１０  接眼レンズ、１１  接眼フィルター、
１２  接眼レンズ保持手段、１３  ファインダー筺体、１４  反射透過膜、
１５  ファインダー表示表示手段、１６  証明手段、１７  アイカップたわみ空間、
１８  アクセサリーシュー、６０  アイカップ６によって元々覆われていた領域
【図１】
2016017968.tif 000003
【図２】
2016017968.tif 000004
【図３】
2016017968.tif 000005
【図４】
2016017968.tif 000006
【図５】
2016017968.tif 000007
【図６】
2016017968.tif 000008
【図７】
2016017968.tif 000009
【図８】
2016017968.tif 000010
【図９】
2016017968.tif 000011